(57)【要約】      （修正有）【課題】バッグの上部にシューズの収納スペースを別に設け、ゴルフシューズ、またはゴルフシューズの入ったシューズ用袋を保管することができるバッグを提供する。【解決手段】内側に服収納部１３０が設けられた本体部と、本体部に設けられた取っ手とを含み、服収納部１３０上には、物品収納部が形成される。服収納部１３０には、物品収納部を支持するための支持板１３１が形成される。【選択図】図６
0003226561.tif 000002
【実用新案登録請求の範囲】
【請求項１】
内側に服収納部１３０が設けられた本体部１００と、
前記本体部１００に設けられた取っ手１１０とを含み、
前記服収納部１３０上には、物品収納部１２０が形成されるバッグ。
【請求項２】
前記服収納部１３０には、前記物品収納部１２０を支持するための支持板１３１が形成される、請求項１に記載のバッグ。
【請求項３】
前記支持板１３１は、両側のボタンにより、底面に直角で固定されるか、または横になることを特徴とする、請求項２に記載のバッグ。
【請求項４】
前記支持板１３１は、底面に直角で固定されたときに見えて、底面に横になったときに見えない非常時用のお金のポケット１３６を備える、請求項３に記載のバッグ。
【請求項５】
前記本体部１００は、正面の側部に第１補助収納部１６０を備え、
両側面に第２補助収納部１４０と第３補助収納部１５０を備える、請求項４に記載のバッグ。
【請求項６】
前記本体部１００の底面には、バッグを背負えるようにショルダーストラップ１７０が備えられる、請求項５に記載のバッグ。
【請求項７】
前記ショルダーストラップ１７０は、普段は下段のポケット１７５に収納されて見えない、請求項６に記載のバッグ。
【考案の詳細な説明】
【技術分野】
【０００１】
本考案は、バッグに関するものであって、特に、その上部にゴルフシューズ、サッカーシューズ、野球シューズなどの靴類、またはお菓子やフルーツ、お水などの食べ物や飲み物、そして保温保冷水筒など様々な物品の保管が可能なバッグに関するものである。
【背景技術】
【０００２】
一般的に、ゴルフをするときは、ゴルフ練習場やフィールドを利用することになるが、ゴルフは、昔から貴族のスポーツとされており、品位を保持するための手段の１つとして、普通の洋服ではなく、ゴルフ用に作られたゴルフウェアとゴルフシューズを着用する。これらのゴルフウェアとゴルフシューズはそれぞれバッグとゴルフシューズ用袋に入れて持ち運び、ゴルフ練習場やフィールドに着いてから着用することになる。
【０００３】
このように、ゴルフウェアとゴルフシューズをそれぞれ携帯する場合、ゴルフを楽しむための携帯品数が増え、持ち運びに困難があった。
【０００４】
そのため、ゴルファーは、ゴルフウェアを入れるバッグの中に、ゴルフウェアと共に、ゴルフシューズの入ったゴルフシューズ用袋を入れて持ち運んだりする。
【０００５】
上記のように、バッグの中にゴルフウェアとゴルフシューズを一緒に収納した場合、シューズの匂いがシューズ用袋に設けられた通気孔から漏れ、ゴルフウェアに染み付くため、ゴルフウェアを着用する際、不愉快な思いをする上に、衛生面においてもよくないという問題があった。
【０００６】
したがって、ゴルフシューズは別途保管する必要がある。
【０００７】
かかる理由により、殆どのゴルフバッグは、その底部分にゴルフシューズを保管するようになっている。
【０００８】
しかしながら、ゴルフシューズがバッグの底部分に入っているため、ゴルフシューズを取り出す際に不便を感じる。
【考案の概要】
【考案が解決しようとする課題】
【０００９】
本考案が解決しようとする技術的課題は、従来の問題を解決するため、バッグの上部にシューズの収納スペースを別に設け、ゴルフシューズ、またはゴルフシューズの入ったシューズ用袋を保管することができるゴルフバッグを提供することである。
【００１０】
また、本考案が解決しようとする技術的課題は、従来の問題を解決するため、バッグの上部にシューズの収納スペースを別に設け、シューズの収納スペースを支持する支持板を備えることで、ゴルフウェアが、シューズにより押しつぶされ、変形することのないようなバッグを提供することである。
【００１１】
また、本考案が解決しようとする技術的課題は、従来の問題を解決するため、嵩張る服を収納する場合、支持板を倒して横にし、服の収納スペースを広くするバッグを提供することである。
【００１２】
また、本考案が解決しようとする技術的課題は、従来の問題を解決するため、支持板を倒して横にした場合、底に接する部分にポケットを設け、非常時用のお金などを収納することができるバッグを提供することである。
【００１３】
また、本考案が解決しようとする技術的課題は、従来の問題を解決するため、支持板により、服の収納スペースを２つに分離することで利便性を高めたバッグを提供することである。
【００１４】
また、本考案が解決しようとする技術的課題は、従来の問題を解決するため、バッグの上部に収納スペースを別に設け、ゴルフシューズのみならず、サッカーシューズや野球シューズなど様々なスポーツ用・レザー用シューズを収納することができるようにすることである。
【００１５】
また、本考案が解決しようとする技術的課題は、物品収納部に断熱材を用いて保温・保冷効果を生み出し、お菓子やフルーツ、お水などの食べ物や飲み物、そして保温保冷水筒など様々な物品を保管することができるバッグを提供することである。
【課題を解決するための手段】
【００１６】
かかる課題を解決するための本考案の特徴にかかるバッグは、内側に服収納部１３０が設けられた本体部１００と、前記本体部１００に設けられた取っ手１１０とを含み、前記服収納部１３０上には、物品収納部１２０が形成される。
【００１７】
物品収納部１２０は、バッグの上部において収納スペースとして別に設けられ、物品収納部１２０には、ゴルフシューズ、サッカーシューズ、野球シューズなどの靴類、またはお菓子やフルーツ、お水などの食べ物や飲み物、そして保温保冷水筒などの様々な物品を保管することができる。
【００１８】
物品収納部１２０を取り囲む部分には、断熱できる断熱材を用いて、温かい物や冷たい物を保温・保冷できるようにすることもできる。
【００１９】
必要によって、服収納部１３０の上部にも収納スペースを別に設け、ゴルフシューズ、サッカーシューズ、野球シューズなどの靴類、またはお菓子やフルーツ、お水などの食べ物や飲み物、そして保温保冷水筒などの様々な物品を保管することができる。
【００２０】
前記服収納部１３０には、前記物品収納部１２０を支持するための支持板１３１が形成される。
【００２１】
前記支持板１３１は、両側のボタンにより、底面に直角で固定されるか、または横になることを特徴とする。
【００２２】
前記支持板１３１は、底面に直角で固定されたときに見えて、底面に横になったときに見えない、非常時用のお金のポケット１３６を備える。
【００２３】
前記本体部１００は、正面の側部に第１補助収納部１６０を備え、両側面に第２および第３補助収納部１４０、１５０を備えることを特徴とする。
【００２４】
前記本体部１００の底面には、バッグを背負えるようにショルダーストラップが備えられる。
【００２５】
前記ショルダーストラップは、金具に固定することができる。
【００２６】
前記ショルダーストラップは、普段は下段のポケットに収納されて見えないようにする。
【考案の効果】
【００２７】
本考案の実施例によると、バッグの上部にシューズの収納スペースを別に設け、ゴルフシューズ、またはゴルフシューズの入ったシューズ用袋を保管することができるバッグを提供することができる。
【００２８】
また、本考案の実施例によると、バッグの上部にシューズの収納スペースを別に設け、シューズの収納スペースを支持する支持板を備えることで、ゴルフウェアが、シューズにより押しつぶされ、変形することのないようなバッグを提供することができる。
【００２９】
また、本考案の実施例によると、嵩張る服を収納する場合、支持板を倒して横にし、服の収納スペースを広くするバッグを提供することができる。
【００３０】
また、本考案の実施例によると、支持板を倒して横にした場合、底に接する部分にポケットを設け、非常時用のお金などを収納することができるバッグを提供することができる。
【００３１】
また、本考案の実施例によると、支持板により、服の収納スペースを２つに分離することで利便性を高めたバッグを提供することができる。
【００３２】
また、本考案の実施例によると、バッグの上部に収納スペースを別に設け、ゴルフシューズやサッカーシューズ、野球シューズなどの靴類、またはお菓子やフルーツ、お水などの食べ物や飲み物、そして保温保冷水筒など様々な物品を保管することができるバッグを提供することができる。
【図面の簡単な説明】
【００３３】
【図１】本考案の実施例にかかるバッグを示す図面である。
【図２】本考案の実施例にかかるバッグの正面を示す図面である。
【図３】本考案の実施例にかかるバッグの側面を示す図面である。
【図４】本考案の実施例にかかるバッグの側面を示す図面である。
【図５】本考案の実施例にかかるバッグにおける物品収納部を開けたときの状態を示す図面である。
【図６】本考案の実施例にかかるバッグにおける服収納部を開けたときの状態を示す図面である。
【図７】本考案の実施例にかかるバッグにおいて、支持板を倒し、横にしたときの状態を示す図面である。
【図８】本考案の実施例にかかるバッグにおける非常時用のお金のポケットを示す図面である。
【図９】本考案の実施例にかかるバッグの底面を示す図面である。
【図１０】本考案の実施例にかかるバッグの底面からショルダーストラップを取り出したときの状態を示す図面である。
【考案を実施するための形態】
【００３４】
以下、図面を参照し、本考案の属する技術分野における通常の知識を有する者が容易に実施できるよう、本考案の実施例について詳細に説明する。しかしながら、本考案は様々な形で具現化することができ、ここで説明する実施例に限定されるものではない。また、本考案を明確に説明するため、説明に関係のない部分は図面から省略し、明細書全体に亘って類似の部分に対しては類似の図面符号を付した。
【００３５】
明細書全体において、ある部分がある構成要素を「含む」とした場合、特に言及しない限り、他の構成要素を除外するものではなく、他の構成要素をさらに含むことができることを意味する。
【００３６】
図１は、本考案の実施例にかかるバッグを示す図面である。
【００３７】
図２は、本考案の実施例にかかるバッグの正面を示す図面である。
【００３８】
図３および図４は、本考案の実施例にかかるバッグの側面を示す図面である。
【００３９】
図５は、本考案の実施例にかかるバッグにおける物品収納部を開けたときの状態を示す図面である。
【００４０】
図６は、本考案の実施例にかかるバッグにおける服収納部を開けたときの状態を示す図面である。
【００４１】
図７は、本考案の実施例にかかるバッグにおいて、支持板を倒し、横にしたときの状態を示す図面である。
【００４２】
図８は、本考案の実施例にかかるバッグにおける非常時用のお金のポケットを示す図面である。
【００４３】
図９は、本考案の実施例にかかるバッグの底面を示す図面である。
【００４４】
図１０は、本考案の実施例にかかるバッグの底面からショルダーストラップを取り出したときの状態を示す図面である。
【００４５】
図１ないし図１０を参照すると、本考案の実施例にかかるバッグは、内側に服収納部１３０が設けられた本体部１００と、前記本体部１００の上部に設けられた取っ手１１０とを含み、前記服収納部１３０上には、物品収納部１２０が形成される。
【００４６】
物品収納部１２０は、バッグの上部において収納スペースとして別に設けられ、物品収納部１２０には、ゴルフシューズ、サッカーシューズ、野球シューズなどの靴類、またはお菓子やフルーツ、お水などの食べ物や飲み物、そして保温保冷水筒などの様々な物品を保管することができる。
【００４７】
物品収納部１２０を取り囲む部分には、断熱できる断熱材を用いて、温かい物や冷たい物を保温・保冷できるようにすることもできる。
【００４８】
必要によって、服収納部１３０の上部にも収納スペースを別に設け、ゴルフシューズ、サッカーシューズ、野球シューズなどの靴類、またはお菓子やフルーツ、お水などの食べ物や飲み物、そして保温保冷水筒などの様々な物品を保管することができる。
【００４９】
前記服収納部１３０には、前記物品収納部１２０を支持するための支持板１３１が形成される。
【００５０】
前記支持板１３１は、両側のスナップ式ボタンの凹部１３２、１３４と凸部１３３、１３５を嵌め合わせることで底面に直角で固定されるか、または両側のスナップ式ボタンの凹部１３２、１３４と凸部１３３、１３５を分離することで横になることを特徴とする。
【００５１】
前記支持板１３１は、底面に直角で固定されたときに見えて、底面に横になったときには見えない、非常時用のお金のポケット１３６を備える。
【００５２】
前記本体部１００は、正面の側部に第１補助収納部１６０を備え、第１補助収納部１６０は、チャック１６１で開けたり閉めたりすることができる。
【００５３】
前記本体部１００は、両側面に第２および第３補助収納部１４０、１５０を備え、第２および第３補助収納部１４０、１５０は、チャック１４１、１５１で開けたり閉めたりすることができる。
【００５４】
前記本体部１００の底面には、バッグを背負えるようにショルダーストラップが備えられる。
【００５５】
前記ショルダーストラップ１７０は、ショルダーストラップの端部のフック１７２を金具１７１に固定することができる。
【００５６】
前記ショルダーストラップ１７０は、普段は下段のポケット１７５に収納されて見えないようにする。
【００５７】
かかる構成を有する本考案の実施例にかかるバッグの使い方は、次のとおりである。
【００５８】
まず、チャックを開け、服収納部１３０を開ける。
【００５９】
そのとき、図６のように、ユーザーの必要により、支持板１３１を固定して服収納部１３０を２つの空間にしてもよく、支持板１３１を倒して横にし、服収納部１３０を１つの空間にしてもよい。
【００６０】
但し、物品収納部１２０にシューズを入れる場合は、支持板を立て、固定することが好ましい。
【００６１】
服または物品の収納が完了したら、物品収納部１２０のチャックを開け、図５のような状態の物品収納部１２０にシューズ、またはシューズの入ったシューズ用袋を入れて、チャックを閉める。このとき、物品収納部１２０は、バッグの上部において収納スペースとして別に設けられ、物品収納部１２０には、ゴルフシューズ、サッカーシューズ、野球シューズなどの靴類、またはお菓子やフルーツ、お水などの食べ物や飲み物、そして保温保冷水筒などの様々な物品を保管することができる。
【００６２】
必要によっては、支持板１３１の側面に設けられた非常時用のお金のポケット１３６にお金を入れ、図７のようにスナップ式ボタン１３２、１３３、１３４、１３５を分離して、支持板１３１を倒したら、非常時用のお金のポケット１３６が隠れるので、その上に服を入れて保管することで、お金の紛失の危険性が低くなる。
【００６３】
前記支持板１３１は、両側のスナップ式ボタンの凹部１３２、１３４と凸部１３３、１３５を嵌め合わせることで底面に直角で固定するか、または両側のスナップ式ボタンの凹部１３２、１３４と凸部１３３、１３５を分離することで横にすることができる。
【００６４】
また、ユーザーは、必要により、正面の側部に設けられた第１補助収納部１６０、両側面に設けられた第２および第３補助収納部１４０、１５０に物品を保管する。
【００６５】
また、本体部１００の底面には、バッグを背負えるようにショルダーストラップが備えられるので、バッグが重い場合、ユーザーは、ショルダーストラップ１７０の端部のフック１７２を金具１７１に固定し、背負うことができる。
【００６６】
そして、普段は、図９のように、前記ショルダーストラップ１７０を下段のポケット１７５に収納し、見えないようにする。
【００６７】
本考案の実施例では、バッグの上部にシューズの収納スペースを別に設け、ゴルフシューズ、またはゴルフシューズの入ったシューズ用袋を保管することができる。
【００６８】
また、本考案の実施例では、バッグの上部にシューズの収納スペースを別に設け、シューズの収納スペースを支持する支持板を備えることで、ゴルフウェアが、シューズにより押しつぶされ、変形しないようにする。
【００６９】
また、本考案の実施例では、嵩張る服を収納する場合、支持板を倒して横にし、服の収納スペースを広くすることができる。
【００７０】
また、本考案の実施例では、支持板を倒して横にした場合、底に接する部分にポケットを設け、非常時用のお金などを収納することができる。
【００７１】
また、本考案の実施例では、支持板により、服の収納スペースを２つに分離することで利便性を高める。
【００７２】
また、本考案の実施例では、バッグの上部に収納スペースを別に設け、ゴルフシューズ、サッカーシューズや野球シューズなどの靴類、またはお菓子やフルーツ、お水などの食べ物や飲み物、そして保温保冷水筒など様々な物品を保管することができる。
【００７３】
以上、本考案の実施例について詳細に説明したが、本考案の権利範囲は、これに限定されるものではなく、請求の範囲において定義される本考案の基本概念に基づいた当業者による様々な変形および改良形態も本考案の権利範囲に属するものである。
【図１】
0003226561.tif 000003
【図２】
0003226561.tif 000004
【図３】
0003226561.tif 000005
【図４】
0003226561.tif 000006
【図５】
0003226561.tif 000007
【図６】
0003226561.tif 000008
【図７】
0003226561.tif 000009
【図８】
0003226561.tif 000010
【図９】
0003226561.tif 000011
【図１０】
0003226561.tif 000012